(57)【要約】【課題】貫通孔を塞ぐダンパを容易に貼り付けることを可能とする耳装着型の音情報伝達器及びその組立方法を提供する。【解決手段】耳装着型の音情報伝達器としてのイヤホン１はスピーカユニット２とイヤホン本体３とダンパ４と引っ掛け部５を備えている。スピーカユニット２はスピーカ本体６と電線７を備えている。イヤホン本体３はスピーカ本体６を収容する筒状部８と電線７を通す通し部９を備えている。筒状部８には貫通孔１２が設けられている。ダンパ４は貫通孔１２を塞ぐ状態で筒状部８の内面に貼り付けられる。引っ掛け部５は電線７にダンパ４を引っ掛ける。引っ掛け部５により電線７にダンパ４を引っ掛けてスピーカ本体６が筒状部８に近づく方向に電線７を引っ張ってダンパ４を筒状部８の内面に貼り付ける。【選択図】図２
2005323119.tif 000002
【特許請求の範囲】
【請求項１】
音を生じるスピーカ本体と、前記スピーカ本体と接続しかつ該スピーカ本体に音声電流を供給する電線と、を備えたスピーカユニットと、
耳介に装着可能でかつ前記スピーカ本体を収容するとともに貫通孔が設けられた筒状部と、前記筒状部に連なりかつ前記筒状部に装着された前記スピーカ本体に接続した前記電線を通す通し部と、を備えた伝達器本体と、
前記貫通孔を塞ぐ状態で前記筒状部の内面に貼り付けられたダンパと、を備えた耳装着型の音情報伝達器において、
前記電線と前記ダンパとを互いに引っ掛ける引っ掛け部を更に備え、
前記引っ掛け部により前記通し部に通された前記電線に前記ダンパを引っ掛け、前記スピーカ本体が前記筒状部に近づく方向に前記電線を引っ張って、前記ダンパが前記貫通孔を塞ぐ状態で前記筒状部の内面に貼り付けられたことを特徴とする耳装着型の音情報伝達器。
【請求項２】
前記引っ掛け部は、前記電線の外径を他の部分より大径にした大径部と、前記ダンパを貫通しているとともに前記大径部より細い孔と、を備えたことを特徴とする請求項１記載の耳装着型の音情報伝達器。
【請求項３】
前記大径部は、前記電線に形成された結び目であることを特徴とする請求項２記載の耳装着型の音情報伝達器。
【請求項４】
音を生じるスピーカ本体と、前記スピーカ本体と接続しかつ該スピーカ本体に音声電流を供給する電線と、を備えたスピーカユニットと、
耳介に装着可能でかつ前記スピーカ本体を収容するとともに貫通孔が設けられた筒状部と、前記筒状部に連なりかつ前記筒状部に装着された前記スピーカ本体に接続した前記電線を通す通し部と、を備えた伝達器本体と、
前記貫通孔を塞ぐ状態で前記筒状部の内面に貼り付けられたダンパと、を備えた耳装着型の音情報伝達器の組立方法において、
前記通し部に通された前記電線に前記ダンパを引っ掛け、前記スピーカ本体が前記筒状部に近づく方向に前記電線を引っ張って、前記ダンパが前記貫通孔を塞ぐ状態で前記筒状部の内面に貼り付けることを特徴とする耳装着型の音情報伝達器の組立方法。
【発明の詳細な説明】
【技術分野】
【０００１】
本発明は、例えば、人の耳に装着される耳装着型の音情報伝達器及びその組立方法に関する。
【背景技術】
【０００２】
人の耳に装着される耳装着型の音情報伝達器として、従来から種々のイヤホン（例えば、特許文献１参照）が用いられてきた。この特許文献１に示されたイヤホンは、音を生じさせるスピーカユニットと、該スピーカユニットを収容するとともに耳介（耳殻ともいう）に装着される伝達器本体としてのイヤホン本体と、ダンパなどを備えている。
【０００３】
スピーカユニットは、音声電流が印加されると振動して音を生じる振動板などを有したスピーカ本体と、前記スピーカ本体と接続しかつ該スピーカ本体に前記音声電流を供給する電線とを備えている。
【０００４】
イヤホン本体は、耳介に装着可能な筒状部と、前記筒状部に連なる通し部とを一体に備えている。筒状部は、内外を連通する貫通孔が設けられている。筒状部は、前記スピーカ本体を収容する。通し部は、前記筒状部に装着されたスピーカ本体に接続した電線を通す。
【０００５】
ダンパは、音質調整のために空気などの気体を透過する板状（シート状）の部品であり、前記貫通孔を塞ぐ格好で前記筒状部の内面に貼り付けられている。
【０００６】
前述した構成のイヤホンは、イヤホン本体の筒状部が人などの耳介に装着されて、前記電線を介してスピーカ本体に音声電流が印加されて、スピーカ本体が音を生じて、この音（音情報ともいう）を前述した人などに伝達する。
【特許文献１】特開平１１−２２５３８７号公報
【発明の開示】
【発明が解決しようとする課題】
【０００７】
前述した特許文献１に記載された耳装着型の音情報伝達器としてのイヤホンは、耳介に装着されるため、イヤホン本体の特に筒状部が小型化されている。このため、前述した筒状部を貫通した貫通孔も小型化されているとともに、前述したダンパも小型化されている。ダンパを貼り付ける際に、ダンパが位置ずれすることがあった。また、ダンパと貫通孔との双方が小型化されているため、ダンパが位置ずれしないように貼り付けようとすると、ダンパを貼り付ける作業自体に手間がかかる傾向であった。したがって、貫通孔を塞ぐようにダンパを筒状部の内面に貼り付けることが困難であった。
【０００８】
本発明の目的は、例えば、貫通孔を塞ぐダンパを容易に貼り付けることを可能とする耳装着型の音情報伝達器及びその組立方法を提供することにある。
【課題を解決するための手段】
【０００９】
前記課題を解決し目的を達成するために、請求項１に記載の本発明の耳装着型の音情報伝達器は、音を生じるスピーカ本体と、前記スピーカ本体と接続しかつ該スピーカ本体に音声電流を供給する電線と、を備えたスピーカユニットと、耳介に装着可能でかつ前記スピーカ本体を収容するとともに貫通孔が設けられた筒状部と、前記筒状部に連なりかつ前記筒状部に装着された前記スピーカ本体に接続した前記電線を通す通し部と、を備えた伝達器本体と、前記貫通孔を塞ぐ状態で前記筒状部の内面に貼り付けられたダンパと、を備えた耳装着型の音情報伝達器において、前記電線と前記ダンパとを互いに引っ掛ける引っ掛け部を更に備え、前記引っ掛け部により前記通し部に通された前記電線に前記ダンパを引っ掛け、前記スピーカ本体が前記筒状部に近づく方向に前記電線を引っ張って、前記ダンパが前記貫通孔を塞ぐ状態で前記筒状部の内面に貼り付けられたことを特徴としている。
【００１０】
請求項４に記載の本発明の耳装着型の音情報伝達器の組立方法は、音を生じるスピーカ本体と、前記スピーカ本体と接続しかつ該スピーカ本体に音声電流を供給する電線と、を備えたスピーカユニットと、耳介に装着可能でかつ前記スピーカ本体を収容するとともに貫通孔が設けられた筒状部と、前記筒状部に連なりかつ前記筒状部に装着された前記スピーカ本体に接続した前記電線を通す通し部と、を備えた伝達器本体と、前記貫通孔を塞ぐ状態で前記筒状部の内面に貼り付けられたダンパと、を備えた耳装着型の音情報伝達器の組立方法において、前記通し部に通された前記電線に前記ダンパを引っ掛け、前記スピーカ本体が前記筒状部に近づく方向に前記電線を引っ張って、前記ダンパが前記貫通孔を塞ぐ状態で前記筒状部の内面に貼り付けることを特徴としている。
【発明を実施するための最良の形態】
【００１１】
以下、本発明の一実施形態にかかる耳装着型の音情報伝達器を説明する。本発明の一実施形態にかかる耳装着型の音情報伝達器は、引っ掛け部により電線とダンパとを引っ掛けて、電線を引っ張ることで、ダンパを伝達器本体の筒状部の内面に容易に貼り付けることを可能にしている。
【００１２】
また、引っ掛け部は、電線の外径を他の部分より大径にした（則ち太くした）大径部と、ダンパを貫通しかつ前記大径部より細い孔であっても良い。
【００１３】
さらに、大径部は、電線に形成された結び目であっても良い。
【００１４】
また、本発明の一実施形態にかかる耳装着型の音情報伝達器の組立方法は、電線とダンパとを引っ掛けて、電線を引っ張ることで、ダンパを伝達器本体の筒状部の内面に容易に貼り付けることを可能にしている。
【実施例】
【００１５】
本発明の一実施例を、図１ないし図４に基づいて説明する。図１に示す耳装着型の音情報伝達器としてのイヤホン１は、人などの耳介に装着されて、音を生じて、この音（音情報ともいう）を前述した人などに伝達する。
【００１６】
イヤホン１は、図２に示すように、音を生じるスピーカユニット２と、該スピーカユニット２を収容するとともに耳介（耳殻ともいう）に装着される伝達器本体としてのイヤホン本体３と、ダンパ４と、引っ掛け部５を備えている。スピーカユニット２は、音声電流が印加されることで振動して音を生じる振動板などを有したスピーカ本体６と、前記スピーカ本体６と接続しかつ該スピーカ本体６に前記音声電流を供給する電線７とを備えている。
【００１７】
イヤホン本体３は、合成樹脂などからなり、耳介に装着可能な筒状部８と、前記筒状部８に連なる通し部９とを一体に備えている。筒状部８は、人などの耳介の耳甲介腔内に挿入可能な有底筒状に形成されている。筒状部８は、開口部１０が人などの耳介の耳甲介腔内に相対する状態で、人などの耳介の耳甲介腔内に挿入される。また、筒状部８は、底部１１から開口部１０に向かうにしたがって徐々に内外径が拡がるように形成されている。
【００１８】
筒状部８は、スピーカ本体６が開口部１０を通して筒状部８外に露出する状態で、スピーカ本体６を収容する。また、筒状部８には、貫通孔１２が設けられている。貫通孔１２は、勿論、筒状部８を貫通している。また、貫通孔１２は、筒状部８がスピーカ本体６を収容した状態で、筒状部８とスピーカ本体６との間に形成される空間と、筒状部８の外部とを連通する。
【００１９】
通し部９は、筒状に形成されており、筒状部８の底部１１に連なっている。また、通し部９は、筒状部８内と連通している。通し部９は、筒状部８に収容されたスピーカ本体６に接続した電線７を内側に通す。
【００２０】
ダンパ４は、音声調整のために空気などの気体を透過する板状（シート状）の部品である。ダンパ４は、図示例では、円板状に形成されている。ダンパ４は、接着剤１３などにより、貫通孔１２を塞ぐ格好で筒状部８の内面に貼り付けられている。
【００２１】
引っ掛け部５は、スピーカユニット２の電線７に設けられた大径部としての結び目１４と、ダンパ４を貫通した孔１５とを備えている。結び目１４は、スピーカユニット２のスピーカ本体６の近傍に配されている。結び目１４は、ダンパ４と、スピーカユニット２のスピーカ本体６との間に位置付けられる。
【００２２】
結び目１４は、電線７自体を結ぶことにより形成されている。このため、結び目１４の外径Ｒ（図３に示す）は、勿論電線７の結び目１４以外の部分（他の部分）の外径ｒ（図３に示す）より太い。このように、結び目１４は、電線７の外径Ｒを他の部分の外径ｒより大径にしている。
【００２３】
孔１５は、内側に電線７を通す。孔１５の内径は、前述した電線７（則ち、前述した前述した他の部分）の外径ｒより大きく、結び目１４の外径Ｒより小さい。このため、孔１５は、結び目１４より細くなっている。引っ掛け部５は、結び目１４をダンパ４とスピーカ本体６との間に位置付け、孔１５内に電線７を通すことにより、電線７にダンパ４を引っ掛ける。
【００２４】
前述した構成のイヤホン１は、以下のように組み立てられる。まず、スピーカ本体６の電線７自体を結んで、電線７のスピーカ本体６の近傍に結び目１４を形成する。また、ダンパ４に孔１５を形成するとともに、ダンパ４の一方の表面に接着剤１３などを塗布する。そして、接着剤１３を塗布した表面がスピーカユニット２のスピーカ本体６と相対しないように、スピーカ本体６から離れた側の端から電線７を前述した孔１５内に通す。さらに、電線７のスピーカ本体６から離れた側の端を筒状部８の内側から通し部９内に通して、通し部９外に導く。
【００２５】
すると、図３及び図４に示すように、電線７がダンパ４の孔１５と通し部９内に順に通され、ダンパ４が筒状部８とスピーカ本体６との間に位置付けられるとともに、結び目１４がダンパ４とスピーカ本体６との間に位置付けられる。このとき、図４に示すように、ダンパ４の一方の表面に塗布された接着剤１３は、筒状部８の内面と相対する。このように、ダンパ４を筒状部８と結び目１４との間に位置付けることで、引っ掛け部５により通し部９に通された電線７にダンパ４を引っ掛ける。
【００２６】
そして、図３及び図４中の矢印Ｋに沿って、スピーカ本体６が筒状部８に近づく方向に電線７を引っ張る。すると、接着剤１３が筒状部８の内面に密着する。そして、図２に示すように、貫通孔１２を塞ぐ状態に、ダンパ４が筒状部８の内面に貼り付けられる。こうして、前述した構成のイヤホン１が組み立てられる。
【００２７】
前述した構成のイヤホン１は、イヤホン本体３の筒状部８が人などの耳甲介腔内に挿入されて、耳介に装着される。そして、イヤホン１は、前記電線７を介してスピーカユニット２に音声電流が印加されて、スピーカユニット２が音を生じさせて、この音（音情報ともいう）を前述した人などに伝達する。
【００２８】
本実施例によれば、引っ掛け部５により電線７とダンパ４とを引っ掛けることができる。そして、引っ掛け部５により電線７とダンパ４とを引っ掛けて、電線７を引っ張ってダンパ４を筒状部８の内面に貼り付ける。このため、容易に、ダンパ４を筒状部８の内面に貼り付けることができる。したがって、貫通孔１２を塞ぐダンパ４を容易に貼り付けることができ、容易にイヤホン１を組み立てることができる。
【００２９】
引っ掛け部５が、電線７を他の部分より大径にした大径部としての結び目１４と、ダンパ４を貫通しかつ大径部としての結び目１４より細い孔１５とを備えている。このため、引っ掛け部５は、電線７とダンパ４とを確実に引っ掛けることができる。したがって、貫通孔１２を塞ぐダンパ４をより容易に貼り付けることができ、より容易にイヤホン１を組み立てることができる。
【００３０】
さらに、大径部として、電線７自体を結ぶことにより電線７に形成された結び目１４を用いている。このため、大径部を形成するために電線７と別体の部材をを用いる必要が生じない。したがって、貫通孔１２を塞ぐダンパ４をより容易に貼り付けることができることにくわえ、部品点数の増加を防止してイヤホン１のコストの低減を図ることができる。
【００３１】
前述した実施例では、大径部として結び目１４を用いている。しかしながら、本発明では、図５に示すように、大径部として、電線７と別体の筒状部材２０を用いても良い。筒状部材２０は、合成樹脂などから円筒状に一体に形成されても良く、電線７の外周にテープなどが巻かれることにより形成されても良い。勿論、筒状部材２０の外径Ｒ１は、電線７の外径ｒより太い。則ち、大径部としての筒状部材２０は、電線７の他の部分より大径である。
【００３２】
また、本発明では、ダンパ４に設けられた孔１５は、図５に示すように、ダンパ４の外縁に開口した切欠きであっても良い。この場合も、孔１５の幅Ｈを大径部の外径Ｒ，Ｒ１より細くすることで、孔１５を大径部より細くするのが望ましい。このように、本明細書に記した引っ掛け部５を構成するダンパ４を貫通した孔１５とは、ダンパ４自体を貫通した所謂貫通孔と、ダンパ４の一部を切り欠いた切欠きとの双方を示している。
【００３３】
さらに、前述した実施例では、耳装着型の音情報伝達器としてイヤホン１を示している。しかしながら、本発明では、耳装着型の音情報伝達器としての所謂ヘッドホンに適用しても良いことは勿論である。
【００３４】
また、本発明では、引っ掛け部５により電線７にダンパ４を引っ掛けて、電線７を引っ張ってダンパ４をイヤホン本体３に貫通孔１２を塞ぐ状態で取り付ける。このため、本発明では、接着剤１３を用いることなく、ダンパ４をイヤホン本体３に貫通孔１２を塞ぐ状態で取り付けても良い。
【００３５】
前述した実施例によれば、以下のイヤホン１及びその組立方法が得られる。
【００３６】
（付記１）  音を生じるスピーカ本体６と、前記スピーカ本体６と接続しかつ該スピーカ本体６に音声電流を供給する電線７と、を備えたスピーカユニット２と、
耳介に装着可能でかつ前記スピーカ本体６を収容するとともに貫通孔１２が設けられた筒状部８と、前記筒状部８に連なりかつ前記筒状部８に装着された前記スピーカ本体６に接続した前記電線７を通す通し部９と、を備えたイヤホン本体３と、
前記貫通孔１２を塞ぐ状態で前記筒状部８の内面に貼り付けられたダンパ４と、を備えたイヤホン１において、
前記電線７と前記ダンパ４とを互いに引っ掛ける引っ掛け部５を更に備え、
前記引っ掛け部５により前記通し部９に通された前記電線７に前記ダンパ４を引っ掛け、前記スピーカ本体６が前記筒状部８に近づく方向に前記電線７を引っ張って、前記ダンパ４が前記貫通孔１２を塞ぐ状態で前記筒状部８の内面に貼り付けられたことを特徴とするイヤホン１。
【００３７】
（付記２）  前記引っ掛け部５は、前記電線７の外径を他の部分より大径にした大径部１４，２０と、前記ダンパ４を貫通しているとともに前記大径部１４，２０より細い孔１５と、を備えたことを特徴とする付記１記載のイヤホン１。
【００３８】
（付記３）  前記大径部は、前記電線７に形成された結び目１４であることを特徴とする付記２記載のイヤホン１。
【００３９】
（付記４）  音を生じるスピーカ本体６と、前記スピーカ本体６と接続しかつ該スピーカ本体６に音声電流を供給する電線７と、を備えたスピーカユニット２と、
耳介に装着可能でかつ前記スピーカ本体６を収容するとともに貫通孔１２が設けられた筒状部８と、前記筒状部８に連なりかつ前記筒状部８に装着された前記スピーカ本体６に接続した前記電線７を通す通し部９と、を備えたイヤホン本体３と、
前記貫通孔１２を塞ぐ状態で前記筒状部８の内面に貼り付けられたダンパ４と、を備えたイヤホン１の組立方法において、
前記通し部９に通された前記電線７に前記ダンパ４を引っ掛け、前記スピーカ本体６が前記筒状部８に近づく方向に前記電線７を引っ張って、前記ダンパ４が前記貫通孔１２を塞ぐ状態で前記筒状部８の内面に貼り付けることを特徴とするイヤホン１の組立方法。
【００４０】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００４１】
【図１】本発明の一実施例にかかるイヤホンの斜視図である。
【図２】図１中のＩＩ−ＩＩ線に沿う断面図である。
【図３】図２に示されたイヤホンを組み立てる途中の状態を示す斜視図である。
【図４】図３に示された状態のイヤホンを示す断面図である。
【図５】図３に示されたイヤホンの変形例を示す斜視図である。
【符号の説明】
【００４２】
１  イヤホン（耳装着型の音情報伝達器）
２  スピーカユニット
３  イヤホン本体（伝達器本体）
４  ダンパ
５  引っ掛け部
６  スピーカ本体
７  電線
８  筒状部
９  通し部
１２  貫通孔
１４  結び目（大径部）
１５  孔
２０  筒状部材（大径部）
【図１】
2005323119.tif 000003
【図２】
2005323119.tif 000004
【図３】
2005323119.tif 000005
【図４】
2005323119.tif 000006
【図５】
2005323119.tif 000007